(57)【要約】【課題】商品の多様化、頻繁に起こる模様替えに十分に対応でき、模様替えの度に不用となったり、新たに購入する必要性を少なくし、商品を多面的に陳列することができる商品陳列補助台を提供すること。【解決手段】片面２２に複数の溝２１を所定の間隔且つ平行に設けた前方傾斜で設置される棚板２と、平板状の商品載置部１２と、商品載置部１２の前後方向の一方の縁部に回動自在に取り付けられ商品転倒防止部１１１を上方に備え複数の溝のうち隣接する２つの溝に係止する一対の係止片１１３、１１４を下方に備える第１脚部１１と、商品載置部１２の前後方向の他方側の裏面に回動自在に取り付けられ複数の溝のうち１つの溝に係止する係止片１３３備える第２脚部１３を有する補助台１と、を備える。【選択図】        図１
2005013491.tif 000002
【特許請求の範囲】
【請求項１】
片面に複数の溝を所定の間隔且つ平行に設けた前方傾斜で設置される棚板と、
平板状の商品載置部と、該商品載置部の前後方向の一方の縁部に回動自在に取り付けられ商品転倒防止部を上方に備え前記複数の溝のうち隣接する２つの溝に係止する一対の係止片を下方に備える第１脚部と、該商品載置部の前後方向の他方側の裏面に回動自在に取り付けられ前記複数の溝のうち１つの溝に係止する又は係止しない係止片を備える第２脚部を有する補助台と、
を備えることを特徴とする商品陳列補助台。
【請求項２】
前記補助台の複数個を前記棚板に設置する際、該補助台を前後同一方向又は前後反対方向に、あるいは前記商品載置部に対して第１脚部又は第２脚部を所定の角度で回動又は回動させることなく、種々の形態で設置することを特徴とする請求項１記載の商品陳列補助台。
【請求項３】
前記商品載置部に指挿入孔を設け、該商品載置部に演出用化粧板を載置したことを特徴とする請求項１又は２記載の商品陳列補助台。
【発明の詳細な説明】
【０００１】
【発明の属する技術分野】
本発明は、主にスーパー、百貨店、専門店、コンビニエンスストアー等の店内の商品陳列面に商品を陳列するのに用いられ、商品の特性に合わせて商品陳列面での陳列状態を多面的に変えることができる商品陳列補助台に関する。
【０００２】
【従来の技術】
従来、スーパー、百貨店、専門店、コンビニエンスストアー等の店内の商品陳列面で商品を陳列する方法は、最も単純なものとして、（１）  商品陳列面の水平スペースに仕切りを設け、その仕切りごとに商品を並べたり、箱状物に商品を並べ、この箱状物ごと水平スペースに載せる方法がある。また、（２）  商品陳列面の水平スペース、特に最下段の水平スペースでは奥の商品は客が見づらく、しかも商品を取りづらいから、奥に台を設置しその上に陳列板を置き傾斜させた陳列棚として、その傾斜させた陳列棚に仕切りを設け、その仕切りごとに商品を並べたり、箱状物に商品を並べこの箱状物ごと傾斜させた陳列棚に載せる方法もある。また、（３）  商品陳列面の最下段用の商品陳列補助台として、予め雛壇や傾斜面を設置した傾斜専用のものがあり、その雛壇や傾斜面に直接商品を並べたり、箱状物に商品を並べこの箱状物ごと雛壇や傾斜面に載せる方法等がある。更に、（４）  商品陳列面に、水平あるいは傾斜を選択でき、しかも傾斜角を選択できる角度選択型の商品陳列補助台に、仕切りを設け、その仕切り毎に商品を並べたり、箱状物に商品を並べこの箱状物ごと角度選択型の商品陳列補助台に載せるものもある。
【０００３】
これらスーパー等の店内での商品陳列方法は、これにより商品の売れ行きが左右されることが多いから、上記した方法以外にも工夫を凝らし、様々な方法が取られる。しかし、その基本とする所は、水平スペースのまま、傾斜させた陳列棚、傾斜専用や角度選択型の商品陳列補助台の各種の陳列スペースに、仕切り板や箱状物により商品を仕切り陳列するものである。
【０００４】
上記（１）  、（２）  の商品陳列方法では、水平スペースや傾斜させた陳列棚に合わせた仕切り板や箱状物を用意する必要があり、それら仕切り板や箱状物は、対応した水平スペースや傾斜させた陳列棚以外には全く使用できなかったり、あるいは使用できても、見た目勝負の色彩の強い商品陳列では、結局使用できないことが多い。このため、仕切り板や箱状物は各種形状のもの及びその同種類における各サイズのものが必要になり、模様替えの度に不用となる仕切り板や箱状物が出てきたり、新たに購入する必要性が生じる。また、逆に不用となった仕切り板や箱状物は再び使用する機会もあると想定されるため、廃棄できず保管することになる確率が高く、そのための保管スペースが必要になる。
【０００５】
また、（３）  の傾斜専用、（４）  の水平・傾斜の角度選択型の商品陳列補助台を利用した商品陳列方法では、予め雛壇や傾斜面を設置してあったり、角度を選択できるから、取扱いが容易で、上記した（１）  、（２）  の商品陳列方法の不都合な点が減り都合が良い。しかし、最近の傾向である商品の多様化、競争激化による頻繁な模様替えに対して、この傾斜専用の商品陳列補助台は、予め設置してある雛壇や傾斜面を変更することは困難であり、角度選択型の商品陳列補助台でも、角度の変更ができても、商品の存在感やボリューム感を出させることは困難であるから、十分に対応することはできず、様々な形状の傾斜専用及び角度選択型の商品陳列補助台が必要となる。従って、上記した（１）  、（２）  の商品陳列方法の不都合な点と同じような結果になる。
【０００６】
これらを解決するものとして、特開２００２−５８５７１号公報には、商品陳列面に設置して商品の陳列状態を整えるための商品陳列補助台であって、片面に複数の溝を所定の間隔且つ平行に設けた棚板と、板を任意箇所で所定角度に折り曲げ、該板の前後方向の両端に前記棚板の溝に着脱自在に係止し得る係止片を設けると共に、折り曲げて形成された平面のいずれか、又は双方に前記係止片を着脱自在に係止し得る複数の溝を設け、該溝に他の補助台の係止片を係止し得るようにした補助台と、からなる商品陳列補助台が開示されている。この商品陳列補助台を用いれば商品の特性に合わせて商品陳列面での陳列状態を多面的に変えることができ極めて有用なものである。
【０００７】
【特許文献１】
特開２００２−５８５７１号公報（請求項１、図１〜図１４）
【０００８】
【発明が解決しようとする課題】
しかしながら、特開２００２−５８５７１号公報に記載の商品陳列補助台はそれ自身が変形できないため、更に種々の商品陳列形態を採るためには積み重ねて使用する必要があり、場合によっては商品陳列位置が高くなるなどの問題があった。
【０００９】
従って、本発明の目的は、商品の多様化、頻繁に起こる模様替えに十分に対応でき、模様替えの度に不用となったり、新たに購入する必要性を少なくし、商品を多面的に陳列することができる商品陳列補助台を提供することにある。
【００１０】
【課題を解決するための手段】
かかる実情において、本発明者は、鋭意検討を行った結果、片面に複数の溝を所定の間隔且つ平行に設けた前方傾斜で設置される棚板と、平板状の商品陳列部の前方縁及び後方裏面に該商品陳列部に対して回動自在の特定構造の第１脚部及び第２脚部を設ければ、棚板上に商品陳列に都合の良い種々の外観形状を創設でき、様々な商品陳列を可能にし、しかも予備部品もほとんど必要ないことを見出し、本発明を完成するに至った。
【００１１】
すなわち、請求項１記載の発明は、片面に複数の溝を所定の間隔且つ平行に設けた前方傾斜で設置される棚板と、平板状の商品載置部と、該商品載置部の前後方向の一方の縁部に回動自在に取り付けられ商品転倒防止部を上方に備え前記複数の溝のうち隣接する２つの溝に係止する一対の係止片を下方に備える第１脚部と、該商品載置部の前後方向の他方側の裏面に回動自在に取り付けられ前記複数の溝のうち１つの溝に係止する又は係止しない係止片を備える第２脚部を有する補助台と、を備える商品陳列補助台を提供するものである。
【００１２】
また、請求項２記載の発明は、前記補助台の複数個を前記棚板に設置する際、該補助台を前後同一方向又は前後反対方向に、あるいは前記商品載置部に対して第１脚部又は第２脚部を所定の角度で回動又は回動させることなく、種々の形態で設置する前記商品陳列補助台を提供するものである。
【００１３】
また、請求項３記載の発明は、前記商品載置部に指挿入孔を設け、該商品載置部に演出用化粧板を載置した前記商品陳列補助台を提供するものである。
【００１４】
【発明の実施の形態】
以下、本発明の実施の形態における商品陳列補助台を図１〜図１３に基づいて詳述する。図１は本発明の第１の実施の形態である商品陳列補助台を示す概略斜視図、図２は図１の商品陳列補助台を横から見た図、図３は第１の実施の形態例で用いる補助台を横から見た図、図４は第１脚部と第２脚部が折り畳まれた補助台を裏側から見た図、図５は本発明の第２の実施の形態である商品陳列補助台を横から見た図、図６は第２の実施の形態例で用いる補助台の斜視図、図７は本発明の第３の実施の形態である商品陳列補助台を横から見た図、図８は第３の実施の形態例で用いる補助台の斜視図、図９は本発明の第４の実施の形態である商品陳列補助台を横から見た図、図１０は第４の実施の形態例で用いる補助台の斜視図、図１１は本発明の第５の実施の形態である商品陳列補助台を横から見た図、図１２は本発明の第６の実施の形態である商品陳列補助台を横から見た図、図１３は他の実施の実施の形態における補助台の斜視図である。
【００１５】
図１〜図４中、商品陳列補助台１０は、水平台５上に前方傾斜で設置される棚板２と、棚板２に前後方向に隣接して設置される複数個の補助台１とからなる。補助台１は平板状の商品載置部１２と、商品載置部１２の前後方向の一方（図１では前方）の縁部１２１に回動自在に取り付けられ商品転倒防止部１１１を上方に備え複数の溝２１のうち隣接する２つの溝２１１、２１１に係止する一対の係止片１１３、１１４を下方に備える第１脚部１１と、商品載置部１２の前後方向の他方側（図１では後方）の裏面に回動自在に取り付けられ複数の溝２１のうち１つの溝２１２に係止する係止片１３３を備える第２脚部１３を有する。
【００１６】
第１脚部１１は平板状本体部１１６の上方が商品転倒防止部１１１であり、下方が係止片１１３であり、商品転倒防止部１１１と係止片１１３を除く両側には側板１１２、１１２を有している。そして、商品載置部１２の前方の両側（一方の縁部）と第１脚部１１の側板１１２、１１２の上方部とが回動自在に係合している。また、係止片１１４は係止片１１３の上方の平板状本体部１１４から垂直に延出する係止片支持部１１５の中央部から下方に延出するように付設されている。なお、係止片１１３は上記形態に制限されず、例えば係止片１１４のように、平板状本体部１１６の中央下部に部分的に形成されたものであってもよい。
【００１７】
第２脚部１３は側板１３２、１３２の中間位置当たりから下方に、係止片１３３をその下方に有する平板状本体部１３４を備える。すなわち、商品載置部１２の裏面に付設された中空の軸受管１３５と側板１３２、１３２が回動自在に係合し、側板１３２、１３２と中空の軸受管１３５と平板状本体部１３４との間は、第２脚部１３が商品載置部１２の上方にも回動できるよう空間部１３６を形成している。
【００１８】
補助台１において、商品載置部１２に第１脚部１１及び第２脚部１３を回動自在に付設する方法としては、特に制限されず、例えばボスとボス孔の遊嵌、円形断面の軸部材と該軸部材の外径より僅かに大きな内径を有する中空の軸受管との係合などが挙げられる。この場合、例えば商品載置部１２に対して第１脚部１１又は第２脚部１３を手で持ち上げ所定角度に回動させ、その位置で手を離せば、第１脚部１１又は第２脚部１３は重力により下方に回動することになる。すなわち、商品載置部１２の裏面を手で支え持ち上げた自然状態において、第１脚部１１と第２脚部１３は商品載置部１２に対して鉛直方向に垂れ下がる（図３）。また、この状態において、商品載置部１２から鉛直方向に垂れ下がる第１脚部１１と第２脚部１３の長さは一致する。また、補助台１を保管するには、例えば図３の補助台１において、第１脚部１１を矢印ａの方向に回動させ、第２脚部１３を矢印ｄの方向に回動させて折り畳み状態にすればよい（図４）。
【００１９】
前記棚板２は、所定の大きさを有する平板に所定の間隔、例えば、前後方向に対して等間隔で且つ平行に溝２を設けてなる。溝２の幅・深さは、補助台１の第１脚部１１の係止片１１３、１１４及び第２脚部１３の係止片１３３を係止し、また、着脱もできる程度になっている。なお、棚板２の大きさは、商品陳列場所に対応できるように任意に設定される。棚板３の材質は特に限定されない。
【００２０】
商品陳列補助台１０で用いられる補助台１は、第１脚部１１及び第２脚部１３が商品載置部１２に対して９０度の自然状態の位置にある（第１の設置形態（図３））。商品陳列補助台１０はこのような補助台１を棚板２の前後方向に対して順次隣接して並べたものである。この第１の実施の形態における商品陳列補助台１０によれば、例えばパック商品Ａが顧客の目から見易くなる。従来、イチゴなどのパック商品Ａは重ねるとイチゴなどの食材を傷めることがあり、重ねて量感を出すことが困難であった。しかし、本実施の形態例によれば、パック商品Ａ全体を持ち上げることができ、量感を出すことができる。
【００２１】
次に、本発明の第２の実施の実施の形態における商品陳列補助台を図５を参照して説明する。図５において、図２と同一構成要素には同一符号を付してその説明を省略し、異なる点について主に説明する。すなわち、図５の第２の実施の実施の形態における商品陳列補助台１０ａは、図６に示す設置形態を有する補助台を使用した点にある。すなわち、補助台１ａは図３の補助台１において、第１脚部１１を矢印ａ方向に約２５度回動させ、第２脚部１３を矢印ｃ方向に約１７０度回動させ、補助台を前後方向に１８０度反転させ、この状態の補助台１ａを第１脚部１１が後方となるように且つ隣接する補助台が互いに接触するように棚板２に配置したものである。すなわち、第１脚部１１は棚板２の２つの溝に係止片１１３、１１４が係合して固定され、商品載置部１２は前方傾斜で且つその前方端は商品載置部１２の表面に当接し、第２脚部１３はその上方端が前方に位置する補助台１ａの第１脚部１１に当接して固定される。また、最前列の補助台１ａの第２脚部１３の先端は水平台５の前方垂直部材６に当接して固定されている。この第２の実施の形態における商品陳列補助台１０ａによれば、例えばパック商品Ａが顧客の目からより見易くなる。
【００２２】
次に、本発明の第３の実施の実施の形態における商品陳列補助台を図７を参照して説明する。図７において、図２と同一構成要素には同一符号を付してその説明を省略し、異なる点について主に説明する。すなわち、図７の第３の実施の実施の形態における商品陳列補助台１０ｂは、図８に示す設置形態を有する補助台を使用した点にある。すなわち、補助台１ｂは図３の補助台１において、第１脚部１１を矢印ａ方向に約３０度回動させ、第２脚部１３を矢印ｄ方向に約６０度回動させ、この状態の補助台１ｂを第１脚部１１が前方となるように棚板２に配置したものである。これにより、第１脚部１１は棚板２の２つの溝に係止片１１３、１１４が係合して固定され、商品載置部１２は設置形態で水平状態となりその後方端（図７では右側）は商品載置部１２の表面に当接し、第２脚部１３はその平板状本体部１３４が商品載置部１２の表面に当接して固定される。この第３の実施の形態における商品陳列補助台１０ｂによれば、例えばパック商品Ａが階段状に陳列されるため顧客の目をひく。
【００２３】
次に、本発明の第４の実施の実施の形態における商品陳列補助台を図９を参照して説明する。図９において、図２と同一構成要素には同一符号を付してその説明を省略し、異なる点について主に説明する。すなわち、図９の第４の実施の実施の形態における商品陳列補助台１０ｃは、図８及び図１０に示す補助台１ｂ、１ｃを組み合わせて使用すると共に、図６に示す設置形態の補助台１ａを最前列に配置した点にある。補助台１ｃは図８の補助台１ｂを前後方向に１８０度回動させた状態で棚板２に配置される。すなわち、商品陳列補助台１０ｃは前方側から、補助台１ａ、補助台１ｂ、補助台１ｃ、補助台１ｂ、補助台１ｃの順で配置したものである。この第４の実施の形態における商品陳列補助台１０ｃによれば、補助台１ｂの商品載置部１２と補助台１ｃの商品載置部１２で傾斜状凹部が形成されるため、例えば丸物商品Ｂのひと塊ものを上下に陳列されることができるため顧客の目をひく。
【００２４】
次に、本発明の第５の実施の実施の形態における商品陳列補助台を図１１を参照して説明する。図１１において、図９と同一構成要素には同一符号を付してその説明を省略し、異なる点について主に説明する。すなわち、図１１の第５の実施の実施の形態における商品陳列補助台１０ｄは、図８及び図１０に示す補助台１ｂ、１ｃを組み合わせて使用し、棚板２に配置した点にある。すなわち、商品陳列補助台１０ｄは前方側から、補助台１ｂ、補助台１ｃ、補助台１ｂ、補助台１ｃ、補助台１ｂの順で配置したものである。この第５の実施の形態における商品陳列補助台１０ｄによれば、第４の実施の実施の形態における商品陳列補助台１０ｃと同様の効果を奏する。
【００２５】
次に、本発明の第６の実施の実施の形態における商品陳列補助台を図１２を参照して説明する。図１２において、図２と同一構成要素には同一符号を付してその説明を省略し、異なる点について主に説明する。すなわち、図１２の第６の実施の実施の形態における商品陳列補助台１０ｅは、図３に示す設置形態の補助台１と図６に示す補助台１ａと図８に示す補助台１ｂを組み合わせて棚板２に配置した点にある。すなわち、商品陳列補助台１０ｅは前方側から、補助台１ａ、補助台１を３台、補助台１ｂの順で配置したものである。この第６の実施の形態における商品陳列補助台１０ｅによれば、例えばパック商品Ａが階段状に陳列されるため顧客の目をひく。
【００２６】
本発明の商品陳列補助台に使用する補助台としては、上記実施の形態の補助台１に限定されず、例えば図１３に示すように、商品載置部１２に指挿入孔４、４を設け、商品載置部１２に演出用化粧板３を載置したものであってもよい。指挿入孔４としては、特に制限されず、図１３のような矩形状孔以外に、円形孔、楕円孔などが挙げられる。また、指挿入孔４の設置数も特に制限されない。
【００２７】
演出用化粧板３は、例えば陳列商品と同様の構図の写真が挙げられる。具体的には陳列商品がいちごのパックものである場合、同様のいちごのパックもの写真である。これにより、演出用化粧板３上に陳列された商品が売れ、当該演出用化粧板３上に商品が陳列されていない状態であっても、顧客の目にはあたかも商品が陳列されているが如く印象を与えると共に、近づけば化粧板であることが瞬時に判り演出用の意図が伝わり、興味をそそるものとなる。演出用化粧板３は図１３に示すように、異なる商品の写真を複数枚用意しておけば、異なる商品を陳列する際、即座に対応することができる。
【００２８】
以上、本発明の実施の形態を説明したが、具体的な構成はこれに限定されず、本発明の要旨を逸脱しない範囲での変更、追加は本発明の範囲内である。
【００２９】
【発明の効果】
以上詳述したように、請求項１及び請求項２の発明によれば、片面に複数の溝を所定の間隔且つ平行に設けた前方傾斜で設置される棚板と、平板状の商品陳列部の前方縁及び後方裏面に該商品陳列部に対して回動自在の特定構造の第１脚部及び第２脚部を設けたため、棚板上に商品陳列に都合の良い種々の外観形状を創設でき、顧客の目をひく演出ができる。また様々な商品陳列を可能にし、しかも予備部品もほとんど必要ない。請求項３の発明によれば、前記発明と同様の効果を奏する他、興味をそそる演出が可能となる。
【図面の簡単な説明】
【図１】本発明の第１の実施の形態である商品陳列補助台を示す概略斜視図である。
【図２】図１の商品陳列補助台を横から見た図である。
【図３】第１の実施の形態例で用いる補助台を横から見た図である。
【図４】第１脚部と第２脚部が折り畳まれた補助台を裏側から見た図である。
【図５】本発明の第２の実施の形態である商品陳列補助台を横から見た図である。
【図６】第２の実施の形態例で用いる補助台の斜視図である。
【図７】本発明の第３の実施の形態である商品陳列補助台を横から見た図である。
【図８】第３の実施の形態例で用いる補助台の斜視図である。
【図９】本発明の第４の実施の形態である商品陳列補助台を横から見た図である。
【図１０】第４の実施の形態例で用いる補助台の斜視図である。
【図１１】本発明の第５の実施の形態である商品陳列補助台を横から見た図である。
【図１２】本発明の第６の実施の形態である商品陳列補助台を横から見た図である。
【図１３】他の実施の実施の形態における補助台の斜視図である。
【符号の説明】
１、１ａ〜１ｃ    補助台
２    棚板
３    演出用化粧版
４    指挿入孔
５    水平台
１０、１０ａ〜１０ｅ  商品陳列補助台
１１  第１脚部
１２  商品載置部
１３  第２脚部
２１  溝
２２  片面
１１１  商品転落防止部
１１２  側板部
１１３、１１４、１３３    係止片
Ａ、Ｂ  商品
【図１】
2005013491.tif 000003
【図２】
2005013491.tif 000004
【図３】
2005013491.tif 000005
【図４】
2005013491.tif 000006
【図５】
2005013491.tif 000007
【図６】
2005013491.tif 000008
【図７】
2005013491.tif 000009
【図８】
2005013491.tif 000010
【図９】
2005013491.tif 000011
【図１０】
2005013491.tif 000012
【図１１】
2005013491.tif 000013
【図１２】
2005013491.tif 000014
【図１３】
2005013491.tif 000015